(57)【要約】【課題】電気を使わない圧縮空気式打込機にも容易に採用できる操作性の良い照明装置付き打込機を提供することである。【解決手段】ハンドル５の握り部下部に回動自在で複数の角度位置で固定できるレバー８にライトを構成し、黄色光を発するＬＥＤ１４とその電源２０を設け、打込位置を照射するようにした。また、レバー８を打込機本体すなわちボデー１を吊り下げるフックとして使えるようにするためにレバー８とボデー１との間に所定の間隔を設けた。【選択図】  図１
2004209567.tif 000002
【特許請求の範囲】
【請求項１】
圧縮空気を動力源として駆動され、釘等を打込むピストンまたはねじを打込みながら締め付けるピストンを内蔵するボデーと、該ボデーと一体に設けられるハンドル握り部を備えた打込機であって、
前記握り部下部に、全長の異なる数種類の打込機に対応して照射角度を任意に調整できる手段及びその位置に固定する手段を有するライトを設け、ライトの電源となる電池を内蔵したことを特徴とする打込機。
【請求項２】
前記ライトが収納されたレバーとハンドル握り部との間に間隔を設け、レバーを本体吊り下げ用フックとして使えるようにしたことを特徴ととする請求項１記載の打込機。
【請求項３】
前記握り部下部に設けられ、係合歯を有するレバー支持部と、レバー支持部内に挿入され、前記係合歯に噛合する嵌合歯が設けられた軸部を有するレバーと、該レバーを前記握り部側に付勢する弾性体と、該弾性体に抗して前記レバーを軸方向に移動し前記噛合いを解除する抜け止め保持部とを備え、前記レバーをレバー支持部を介して握り部に回動自在で固定できるようにしたことを特徴とする請求項1記載の打込機。
【請求項４】
前記ハンドル握り部とレバーの間に弾性体を設けたことを特徴とする請求項２記載の打込機。
【請求項５】
前記レバーを伸縮自在にすると共に先端部を可動式としたことを特徴とする請求項２記載の打込機。
【請求項６】
圧縮空気を動力源として駆動され、釘等を打込むピストンまたはねじを打込みながら締め付けるピストンを内蔵するボデーと、該ボデーと一体に設けられるハンドル握り部と、打込位置付近を照射する照明装置を備えた打込機であって、
前記照明装置のライトを黄色光を発するＬＥＤとしたことを特徴とする打込機。
【請求項７】
前記照明装置を消灯するスイッチを、点灯から所定時間経過後自動的に消灯する手段及び強制的に消灯する手段の２つとしたことを特徴とする請求項６記載の打込機。
【発明の詳細な説明】
【０００１】
【発明の属する技術分野】
本発明は、打込機の先端部付近及び被打込材に向かって照射するライトを備えた打込機に関するものである。
【０００２】
【従来の技術】
従来の打込機の一例を説明する。
打込機は、圧縮空気を動力源とし、ピストンを急激に動作させて釘等を打込んだり、ねじを打込みながら締め付ける工具である。屋根裏や床下等照明設備の無い所やその他光の届きにくい暗所において作業をする場合があり、通常そのような場合は、仮設の照明を設置して、ある程度の明るさを確保してから作業しなければならなかった。また、作業者はいろいろな位置や角度に移動しながら作業するため、作業を進めるうちに手元が照明の影になることが多く、その都度照明の位置を変えたり、無理な姿勢で作業をしなければならなかった。また、打込機は動力に電気を使用しないため、電源を必要とする照明装置を内蔵することが困難であった。
【０００３】
従来の照明装置を備えた工具について図８、９を用いて説明する。
図８はライトを配設した電動工具の外観を示し、バッテリ２７を電源とし、内部の機構部品を介して先端工具保持部２５に回転力が伝えられ、ねじ等を締め緩めする工具である。屋根裏や床下等の光の届かない暗所において、作業する所も明るく照らすことができるようにライト２６をボデー１上部に備えたものである。図９は、実開平１−１１７８８２号公報に記載のもので、ライト２６をボデー１下部のトリガ４前方に設けたものである。
【０００４】
この他のタイプとして、工具本体の握り部下部にライトを設けたもの（例えば特許文献１、２参照）、またフレキシブルシャフトの先端にライトを設け、照明方向を調整可能にしたもの（例えば特許文献３参照）等がある。
【０００５】
特許文献１
実開平３−７９２７９号公報
特許文献２
特開平１０−４４０６４号公報
特許文献３
特開２００１−３００８６７号公報
【０００６】
【発明が解決しようとする課題】
前記ライトを設けた電動工具は、工具本体の電源であるバッテリ２７と、ライト２６の電源を共用している。
また、図８、９は工具本体内を配線しているため、工具作業時に発生する振動によりライト２６の導通不良や結線部材の断線等の問題が生じる恐れがあった。
【０００７】
特許文献１、図８、９や実開昭５５−１５１４０９号はライトを入切するためのスイッチが設けられているが、切り忘れ等により未使用中に電池が消耗してしまい、いざという時に点灯しないという不具合もあった。
【０００８】
上記した特許文献１、２等の記載のライトは、光の照射角度が固定のため全長寸法の異なる製品に装着した場合等には、工具の先端付近を照らすことができず見にくかった。
また、従来は一般に白色の白熱ランプが用いられていたが、光により見えるコントラストが弱く、結果、必要な明るさを得ようとした場合、ライトのワット数を大きくする必要があり、これに伴ない電池も大型化し、操作性が悪くなってしまう。
【０００９】
また、脚立等に上りながら高所でかつ薄暗い場所での作業では、照明装置の他に、本体の置き場所に困るため、作業のあいまに工具を腰ベルトや脚立に引っ掛けるフックなどを用いた場合があるが、両方をそれぞれ別個に本体に付けると本体が大型化し、かつ高価になってしまう。
【００１０】
以上の従来技術の課題を整理すると以下の通りである。
（１）打込機等の圧縮空気式の工具は、動作に電気を使わないため、ライトの電源確保が難しい。
（２）フックと照明装置を小型で邪魔にならないものにする。
（３）光の照射方向が固定の場合、工具本体の全長寸法の長短にあわせて光の当たる位置を変えることができずに見にくい。
（４）ライト直付けでは、ライトに工具作業時の振動が加わり、導通不良を起こしやすい。
（５）白色の光では、コントラストが弱く、光源または電源が大型化する。
（６）光源の入切スイッチが単なるオンオフでは、切り忘れで、使いたい時電池が無くなって使えない場合もある。
【００１１】
本発明の目的は、以上の課題を解決し、見やすくまた信頼性が高く操作性が良いライト付きの打込機を提供することである。
【００１２】
【課題を解決するための手段】
上記目的は、前記課題毎に、以下の手段によって達成される。
（A）上記（１）、（２）の解決手段として、前記レバーとボデーの間に適度な隙間を設け、照明装置とその電源を内蔵したレバーをフックと兼用する。
（B）上記（３）の解決手段として、握り部下部に回動自在でかつ複数の角度位置で固定できるレバーを設け、これにライトを付ける。
（C）上記（4）の解決手段として、レバーと本体の間に弾性体を介して固定する。
（D）上記（３）（５）の解決手段として、レバーの長さを可変な構造とする。（E）上記（５）の解決手段として、電流消費の少ない発光ダイオードを用い、電池を小型化するとともに、発光色を白ではなく黄色にすることでコントラストがはっきりして見やすくする。
（F）上記（６）の解決手段として、光源の入り切りにタイマー回路を内蔵し、一定時間経過後、自動的に消灯する。
【００１３】
【発明実施の形態】
照明装置を圧縮空気式の打込機に適用した本発明の一実施形態を図１〜６を用いて説明する。図１は、ボデー１、ノーズ２、マガジン３等で構成される打込機である。ボデー１によって形成される本体胴体部には、動力源である圧縮空気によって急激に移動し釘を打ち込むピストン、ピストンの往復移動をガイドするシリンダ、シリンダに圧縮空気を流入させるメインバルブ部（図示省略）等が収容され、本体胴体部から垂下するハンドル部５にはメインバルブの動作を制御する制御バルブ及び制御バルブを開閉するトリガ４、圧縮空気を貯留する蓄圧室等が収容されている。ボデー１に当接して配置されるノーズ２下側には一定の間隔で連結された釘を複数本まとめて収納するマガジン３が配置されている。
【００１４】
打込機には、以下に述べる回動可能でかつ固定する手段を持つレバー８が設けられている。ボデー１に連通するように設けた円筒状のレバー支持部６、スプリング７にレバー８の軸部９を貫通させ、スプリング７の軸方向の動きを阻止する抜け止め保持部１０を軸部９に埋設されたナット１３で固定することで、スプリング７に働く軸方向の力を利用してレバー支持部６を狭持している。レバー支持部６にはそれぞれの内面の一部に係合歯１１を設けており、レバー支持部６と抜け止め保持部１０との間で常に付勢状態にあるスプリング７の軸方向に働く力によって、軸部９に設けた嵌合歯１２（図６参照）と係合歯１１は、常に噛み合いの状態を保っている。これにより前記レバー８は回転止めがなされている。
【００１５】
次に、レバー８の構造について図６を用いて説明する。レバー８には、黄色光を発するＬＥＤ１４、ＬＥＤ１４を保護する透明な樹脂板等からなるレンズ１５、蓄電池または乾電池等の電源２０を内蔵している。レバー８の一側面には、ＬＥＤ１４をオンするための押しボタン式スイッチ１６ａ、オフするための押しボタン式スイッチ１６ｂが設けられている。スイッチ１６ａ、１６ｂや、ＬＥＤ１４は基板２１に取り付けられ、基板２１には、スイッチ１６ａでＬＥＤ１４が点灯してから３分後に自動的に消灯させる半導体式のタイマー回路２３が搭載されている。レバー８のＬＥＤ１４や半導体回路は、比較的薄型のため、レバー８の引っ掛けるフックの柄の部分に配し、比較的大型の電池２０はレバー８の太い根元部に配し、そこから出る軸部９の一部には、前記レバー支持部１６の係合歯１１にかみあう嵌合歯１２が形成されている。
また、軸部９の付け根には厚みが２ｍｍ程度のゴム弾性体１７のワッシャが設けてある。
【００１６】
次に照明装置の動作について説明する。
レバー８を図２で上方向に約５ｍｍ程度引っ張れば、係合歯１１と嵌合歯１２の噛み合いが外れ、レバー８を図４のように軸部９を中心にして時計回りに任意の位置に回転させられる。図４、図５は、打込機の全長寸法が違う場合の照射状態を示したものである。照射位置が近く（打込機の全長寸法が小さい）の場合、レバー８の角度を大きく（図４では５５度）回動して照射し、照射位置が離れている（打込機の全長寸法が大きい）場合、レバー８の角度を小さく（図５では４０度）回動し照射することで、打込機の全長に対応して照射することができ、多種の打込機で快適に作業することができる。
打込機全長が図４のように短い場合は大きな角度で、また図５のように打込機全長が長い場合（被打込材２８までの距離が長い場合）は小さな角度位置で照射するようにし、手を放せば、レバー８をスプリング７が元の定常な状態になる方向に戻すことにより、再びその位置で係合歯１１と嵌合歯１２が噛み合い、回動不能となり固定できる。これにより、作業中振動があっても、レバー８はかみ合って動かないため、光はぶれずに見やすい。
【００１７】
また、打込機を使用する作業者が右利きであるか左利きであるかによって、使いにくくなってしまうことを解消するために、抜け止め保持部１０を外すだけでレバー８とスプリング７、抜け止め保持部１０を取り出すことで、打込機本体の反対側への組み付けも可能としている。
【００１８】
次に照明の点灯は図６のＯＮスイッチ１６ａを押すことで黄色のＬＥＤ１４が点灯する。消灯する場合はＯＦＦスイッチ１６ｂを押せば良いが、万が一これを切り忘れた場合には、タイマー回路２３の作用で３分後に自動消灯するようになっており、消し忘れによる電池２０の消耗を防げる。ＬＥＤ１４に白色光でなく黄色光を照射させるようにすることで、コントラストをはっきりさせ、照射する打込位置の先端や被打込材をくっきりと見やすくすることができる。また、コントラストが大きいので、電気消費量も少なく、電池２０や回路を小型化できる。
【００１９】
次に、レバー８にかかる振動を軽減するための構成について説明する。図２は、図１のＡ−Ａ断面図である。ボデー１に突き当てとなるレバー端面に凹部８ａを、弾性体１７に凸部を設け係止することで一体とし、コイン溝が埋設された抜け止め保持部１０内面と、レバー支持部６の間に置かれたスプリング７の荷重によって、常に弾性体１７がレバー支持部６端面に当接される構成とする。打込機使用時の打込機本体から発生する過酷な振動を、弾性体１７がレバー支持部６の両端を挟みこむように配設しているため、振動が伝わる経路（振動発生源である打込機本体とレバー８の間）を遮断し振動を抑制することができる。
その結果、過酷な振動を発生する打込機に照明装置を適用しても、ＬＥＤ１４の導通不良や結線部材の断線を防止することができる。レバー８はライト専用の電源２０を内蔵しているので、電源を持たない圧縮空気式の打込機にも装着可能である。また、着脱可能としているので、手元ライトとしても使用することも可能である。また、レバー８と本体握り部に２０ｍｍ前後の適度な間隔Ｌを設けてあるので、作業者の腰ベルトや脚立等に打込機本体を掛止させるフックの機能を持たすことができ、高所で打込機本体の置き場所にも困らない。また、ＬＥＤ１４や基板２１、電池２０を図６のようにレイアウトしているので、フックも薄く小形にまとめられ、かつフックと照明の二つの機能がひとつにまとめられているので、邪魔にならず便利である。
【００２０】
図７は、打込機本体に対する位置を容易に変更できる回動可能な掛止用レバー8に長さを伸縮させた場合を示す。レバー８には、レバー８を伸縮自在にするための伸縮スイッチ２２、先端ヘッド部２３を可動式にするための可動部２４、レバー８を伸縮自在にし、先端ヘッド部２３を可動式にすることで、打込機先端に先端ヘッド部２３を近づける。これにより、より近づいた形で光を照射できるので見やすくできる。
【００２１】
【発明の効果】
本発明によれば、握り部下部に回動自在で複数の角度位置で固定できるレバーを設け、レバーにライトと電源を付けたので、電気を使わない圧縮空気式の打込機にもライトを採用できると共に照射角度が変えられるので、全長寸法の異なる打込機に対応して最適な位置に調整できる。
前記レバーとボデーの間に隙間を設け、照明装置が内蔵されたレバーをフックと兼用することで、フックやライトを高所で使いやすく、かつ小型化できるので、邪魔にならない。
レバーと打込機本体との間に弾性体を介して固定しているので、作業中の振動がライトや回路に伝わり難く、断線を防ぎ、信頼性を向上できる。
【００２２】
またレバーの長さを可変としたので、打込機の全長寸法の長短に合わせて照射部分が調整可能で見やすく、光源を作業部位に向けられるので、小さな光源で可能となり更に小型化が図れる。
【００２３】
電流消費の少ない発光ダイオードを用い電池を小型化すると共に発光色を白ではなく黄色にすることでコントラストをはっきりさせることができ、照射装置の更なる小型化が図れる。更に光源の切りにタイマー回路を内蔵し、所定時間経過後自動的に消灯できるので電池の消耗を防げる。
【図面の簡単な説明】
【図１】本発明打込機の一実施形態を示す側面図。
【図２】図１のＡ−Ａ線断面図。
【図３】図１のボデーとレバー部を示す斜視図。
【図４】本発明打込機の照射状態を示す説明用側面図。
【図５】本発明打込機の照射状態を示す説明用側面図
【図６】本発明を構成するレバーの一実施形態を示す断面図。
【図７】本発明打込機の他の実施形態を示す斜視図。
【図８】従来の照明装置付き電動工具の一例を示す斜視図。
【図９】従来の照明装置付き電動工具の他の例を示す斜視図。
【符号の説明】
１はボデー、２はノーズ、３はマガジン、４はトリガ、５はハンドル部、６はレバー支持部、７はスプリング、８はレバー、９は軸部、１０は抜け止め保持部、１１は係合歯、１２は嵌合歯、１３はナット、１４はＬＥＤ、１５はレンズ、１６はスイッチ、１７は弾性体である。
【図１】
2004209567.tif 000003
【図２】
2004209567.tif 000004
【図３】
2004209567.tif 000005
【図４】
2004209567.tif 000006
【図５】
2004209567.tif 000007
【図６】
2004209567.tif 000008
【図７】
2004209567.tif 000009
【図８】
2004209567.tif 000010
【図９】
2004209567.tif 000011